(57)【特許請求の範囲】
【請求項１】
基礎に設置された木質の土台と、この土台に立設された木質の柱と、柱間に架設された木質の梁とを備えた４つの出隅部を有する２階建て以上の木造建物であって、
４本の柱とこれら柱の上端部どうしを柱勝ちとなるようにして繋ぐ４本の梁とによって基本架構が構成され、
前記基本架構の梁の長さが基本モジュールの整数倍の長さに設定され、
前記土台は基本モジュールに従った仮想平面グリッドに割り付けられているとともに、
前記土台上に４つの前記基本架構が柱を前記出隅部に位置させ、かつ基本モジュールに従った仮想平面グリッドに応じて割り付けられて設置されることによって、建物骨組が構成されてなり、間隔を隔てて配置される基本架構どうしは梁で連結されて下階が構成され、
下階の前記基本架構に、上階の前記基本架構が設置されており、
上階の前記基本架構の柱は前記下階の前記基本架構の柱に当該柱と同軸に結合されるか、または、下階の基本架構の梁に結合され、
さらに、前記基本架構の柱のうち、建物の出隅部に位置する柱が土台から屋根の軒まで通った通し柱で構成されていることを特徴とする木造建物。
【請求項２】
請求項１に記載の木造建物において、
下階の前記基本架構に、上階の前記基本架構が設置されており、
上階の前記基本架構の柱のうち、下階の前記基本架構の柱または梁上に位置しない不位置柱は下階の前記基本架構の梁間に架設され、梁成を大きくした小梁に結合されていることを特徴とする木造建物。
【請求項３】
請求項１に記載の木造建物において、
上階の前記基本架構の柱のうち、下階の前記基本架構の柱または梁上に位置しない不位置柱は下階の前記基本架構の梁間に架設された小梁に結合され、
前記小梁に、前記不位置柱と同軸に管柱が結合されていることを特徴とする木造建物。
【請求項４】
請求項１〜３のいずれか一項に記載の木造建物において、
前記柱の下端面に形成された柱孔に、当該柱の軸方向に長尺なホールダウン金物が挿入固定され、このホールダウン金物の下端部が前記土台に形成された土台孔に挿入固定されることによって、前記土台に前記柱が結合され、
前記柱の前記梁側を向く側面に梁受け金物が固定され、この梁受け金物に前記梁の端部が固定されることによって、前記柱に梁が結合されていることを特徴とする木造建物。
【請求項５】
請求項４に記載の木造建物において、
前記土台と前記梁との間に管柱が設けられ、
前記管柱の下端面に形成された柱孔に、当該管柱の軸方向に長尺なホールダウン金物が挿入固定され、このホールダウン金物の下端部が前記土台に形成された土台孔に挿入固定されることによって、前記土台に前記管柱が結合されていることを特徴とする木造建物。
【発明の詳細な説明】
【技術分野】
【０００１】
本発明は、基礎に設置された土台と、この土台に立設された柱と、柱間に架設された梁とを備えた木造建物に関する。
【背景技術】
【０００２】
木造建物を構築する方法の一例として特許文献１に記載のものが知られている。この工法では、まず、基礎上の土台の上に１階〜２階に渡る通し柱を立て、この通し柱の中間部に１階横架材（胴差）を取付ける。次に、１階横架材で囲われた構面に、工場生産による遮音装置を組込んだ大型の２階床パネルを取り付ける。次に、通し柱の上端部に２階横架材（屋根梁）を取付け、２階横架材で囲われた構面に小屋組を取付ける。最後に、２階横架材および小屋組に、工場生産による断熱材および防水紙を取付けた大型の屋根パネルを取り付ける。
【先行技術文献】
【特許文献】
【０００３】
【特許文献１】特開２００２−８１１３１号公報
【発明の概要】
【発明が解決しようとする課題】
【０００４】
ところで、上記の木造建物の構築方法やそれ以外の在来の軸組工法においては、基礎に設置された土台の所定の位置に柱を立設するとともに柱間に梁を架設するが、その場合、柱間の距離が様々であるためその長さに合わせた梁を多種類用意しなければならない。
また、軸組工法では通常、柱間には大梁を梁勝ちで架設するため、例えば３本の柱間に大梁を架設する場合、両側の柱間の距離に相当する大梁を中央の柱上を通して両側の柱に架設することができる反面、大梁の長さを柱の本数や位置に合わせて設定しなければならず、この点においても梁を多種類用意にしなければならない。
このように、梁を多種類用意することによって、現場では土台に立設された柱間に相当する梁を多種類から選択しなければならず、このため建物骨組の構築に手間がかかっていた。
【０００５】
本発明は上記事情に鑑みてなされたもので、現場で建物骨組を容易に構築できる木造建物を提供することを課題としている。
【課題を解決するための手段】
【０００６】
上記課題を解決するために、請求項１に記載の発明は、例えば図１、図２Ａ〜図２Ｔ、図３に示すように、基礎５に設置された木質の土台６と、この土台６に立設された木質の柱と、柱間に架設された木質の梁とを備えた４つの出隅部を有する２階建て以上の木造建物であって、
４本の柱２ａとこれら柱２ａの上端部どうしを柱勝ちとなるようにして繋ぐ４本の梁３ａとによって基本架構１Ａが構成され、
前記基本架構１Ａの梁３ａの長さが基本モジュールの整数倍の長さに設定され、
前記土台６は基本モジュールに従った仮想平面グリッドＧに割り付けられているとともに、
前記土台６上に、４つの前記基本架構１Ａが柱２ａを前記出隅部に位置させ、かつ基本モジュールに従った仮想平面グリッドＧに応じて割り付けられて設置されることによって、建物骨組が構成されてなり、間隔を隔てて配置される基本架構１Ａどうしは梁３ａ1で連結されて下階が構成され、
下階の前記基本架構１Ｃに、上階の前記基本架構１Ｄが設置されており、
上階の前記基本架構１Ｄの柱２ａは前記下階の前記基本架構１Ｃの柱２ａに当該柱２ａと同軸に結合されるか、または、下階の基本架構１Ｃの梁３ｃに結合され、
さらに、前記基本架構１Ａの柱２ａのうち、建物の出隅部に位置する柱２ａが土台６から屋根の軒まで通った通し柱２ｂで構成されていることを特徴とする。
【０００７】
請求項１に記載の発明によれば、梁３ａの長さが基本モジュールの整数倍の長さに設定された４つの基本架構１Ａが柱２ａを出隅部に位置させ、かつ基本モジュールに従った仮想平面グリッドＧに応じて割り付けられて設置されることによって、建物骨組が構成されている。したがって、梁３ａは基本モジュールの整数倍であるものを数種類用意すればよく、従来と異なり、多種類用意する必要がなく、しかも、土台６は基本モジュールに従った仮想平面グリッドＧに割り付けられ、基本架構１Ａが仮想平面グリッドＧに応じて割り付けられているので、当該基本架構１Ａを土台６上の所定の位置に容易かつ確実に配置できる。よって、現場で建物骨組を容易に構築できる。
【０００９】
また、請求項１に記載の発明によれば、上階の基本架構１Ｄの柱２ａが下階の基本架構１Ｃの柱２ａに当該柱２ａと同軸に結合されるか、または、下階の基本架構１Ｃの梁３ｃに結合されているので、上階の基本架構１Ｄを下階の基本架構１Ｃによって確実に支持することができる。
さらに、土台６から屋根の軒まで通った通し柱２ｂが設けられるので、上階と下階を構造的に一体化して、建物の耐震性や耐久性を高めることができる。
【００１０】
請求項２に記載の発明は、例えば図９（ｂ）に示すように、請求項１に記載の木造建物において、
下階の前記基本架構１Ｃに、上階の前記基本架構１Ｅが設置されており、
上階の前記基本架構１Ｅの柱２ａのうち、下階の前記基本架構１Ｃの柱２ａまたは梁３ｃ上に位置しない不位置柱２ａは下階の前記基本架構１Ｃの梁３ｃ,３ｃ間に架設され、梁成を大きくした小梁３ｆに結合されていることを特徴とする。
【００１１】
請求項２に記載の発明によれば、上階の前記基本架構１Ｅの柱２ａのうち、下階の前記基本架構１Ｃの柱２ａまたは梁３ｃ上に位置しない不位置柱２ａは下階の前記基本架構１Ｃの梁３ｃ,３ｃ間に架設された梁成を大きくした小梁３ｆに結合されているので、上階の基本架構１Ｅを下階の基本架構１Ｃおよび梁成を大きくした小梁３ｆによって確実に支持することができる。
【００１２】
請求項３に記載の発明は、例えば図９（ｃ）に示すように、請求項１に記載の木造建物において、
上階の前記基本架構１Ｅの柱２ａのうち、下階の前記基本架構１Ｃの柱２ａまたは梁３ｃ上に位置しない不位置柱２ａは下階の前記基本架構１Ｃの梁３ｃ,３ｃ間に架設された小梁３ｆ１に結合され、
前記小梁３ｆ１に、前記不位置柱２ａと同軸に管柱２ｃが結合されていることを特徴とする。
【００１３】
請求項３に記載の発明によれば、上階の基本架構１Ｅの柱のうち、下階の基本架構１Ｃの柱２ａまたは梁３ｃ上に位置しない不位置柱２ａは下階の基本架構１Ｃの梁３ｃ,３ｃ間に架設された小梁３ｆ１に結合され、この小梁３ｆ１に、不位置柱２ａと同軸に管柱２ｃが結合されているので、上階の基本架構１Ｅを下階の基本架構１Ｃ、小梁３ｆ１、管柱２ｃによって確実に支持することができる。
【００１６】
請求項４に記載の発明は、例えば図４、図５、図６に示すように、請求項１〜３のいずれか一項に記載の木造建物において、
前記柱２ａの下端面に形成された柱孔２ｄに、当該柱２ａの軸方向に長尺なホールダウン金物２５（３２）が挿入固定され、このホールダウン金物２５（３２）の下端部が前記土台６に形成された土台孔６ａ（挿入孔６ｂに挿入された埋設金具３３）に挿入固定されることによって、前記土台６に前記柱２ａが結合され、
前記柱２ａの前記梁３ａ側を向く側面に梁受け金物３８が固定され、この梁受け金物３８に前記梁３ａの端部が固定されることによって、前記柱２ａに梁３ａが結合されていることを特徴とする。
【００１７】
請求項４に記載の発明によれば、柱２ａの下端面に形成された柱孔２ｄに、当該柱２ａの軸方向に長尺なホールダウン金物２５（３２）が挿入固定され、このホールダウン金物２５（３２）の下端部が前記土台６に形成された土台孔６ａ（挿入孔６ｂに挿入された埋設金具３３）に挿入固定されることによって、前記土台６に前記柱２ａが結合されているので、土台６に柱２ａをほぞ等を利用することなく、ホールダウン金物２５（３２）によって容易かつ確実に結合できる。
また、柱２ａの前記梁側を向く側面に梁受け金物３８が固定され、この梁受け金物３８に前記梁３ａの端部が固定されることによって、前記柱２ａに梁３ａが結合されているので、柱２ａに梁３ａをほぞ等を利用することなく、梁受け金物３８によって容易かつ確実に結合できる。
このように、ホールダウン金物２５（３２）および梁受け金物３８によって、現場で建物骨組を容易に構築できる。
【００１８】
請求項５に記載の発明は、例えば図４に示すように、請求項４に記載の木造建物において、
前記土台６と前記梁３ａとの間に管柱２ｃが設けられ、
前記管柱２ｃの下端面に形成された柱孔２ｄに、当該管柱２ｃの軸方向に長尺なホールダウン金物２５が挿入固定され、このホールダウン金物２５の下端部が前記土台６に形成された土台孔６ａに挿入固定されることによって、前記土台６に前記管柱２ｃが結合されていることを特徴とする。
【００１９】
請求項５に記載の発明によれば、管柱２ｃの下端面に形成された柱孔２ｄに、当該管柱２ｃの軸方向に長尺なホールダウン金物２５が挿入固定され、このホールダウン金物２５の下端部が前記土台６に形成された土台孔６ａに挿入固定されることによって、前記土台６に前記管柱２ｃが結合されているので、土台６に管柱２ｃをほぞ等を利用することなく、ホールダウン金物２５によって容易かつ確実に結合できる。
【発明の効果】
【００２０】
本発明によれば、梁の長さが基本モジュールの整数倍の長さに設定された４つの基本架構が柱を出隅部に位置させ、かつ基本モジュールに従った仮想平面グリッドに応じて割り付けられて設置されることによって、建物骨組が構成されている。したがって、梁は基本モジュールの整数倍であるものを数種類用意すればよく、従来と異なり、多種類用意する必要がなく、しかも、土台は基本モジュールに従った仮想平面グリッドに割り付けられ、基本架構が仮想平面グリッドに応じて割り付けられているので、当該基本架構を土台上の所定の位置に容易かつ確実に配置できる。よって、現場で建物骨組を容易に構築できる。
さらに、土台から屋根の軒まで通った通し柱が設けられるので、上階と下階を構造的に一体化して、建物の耐震性や耐久性を高めることができる。
【図面の簡単な説明】
【００２１】
【図１】本発明に係る木造建物を構成する基本架構を示す斜視図である。
【図２Ａ】本発明に係る木造建物を施工する方法を説明するもので、基礎を施工した状態を示す斜視図である。
【図２Ｂ】同、土台と大引を施工した状態を示す斜視図である。
【図２Ｃ】同、床組を施工した状態を示す斜視図である。
【図２Ｄ】同、床断熱材を施工した状態示す斜視図である。
【図２Ｅ】同、床材を施工した状態示す斜視図である。
【図２Ｆ】同、１階柱を施工した状態示す斜視図である。
【図２Ｇ】同、制振パネルを取り付けた状態示す斜視図である。
【図２Ｈ】同、２階床梁を施工した状態示す斜視図である。
【図２Ｉ】同、２階の床組を施工した状態示す斜視図である。
【図２Ｊ】同、２階の床材を施工した状態示す斜視図である。
【図２Ｋ】同、２階の柱を施工した状態示す斜視図である。
【図２Ｌ】同、小屋梁を施工した状態示す斜視図である。
【図２Ｍ】同、火打金物を取り付けた状態示す斜視図である。
【図２Ｎ】同、小屋束を施工した状態示す斜視図である。
【図２Ｏ】同、母屋および棟木を取り付けた状態示す斜視図である。
【図２Ｐ】同、垂木を取り付けた状態示す斜視図である。
【図２Ｑ】同、野地板を施工した状態示す斜視図である。
【図２Ｒ】同、間柱を施工した状態示す斜視図である。
【図２Ｓ】同、外壁材を取り付けた状態示す斜視図である。
【図２Ｔ】同、木造建物の一部を切り欠いた斜視図である。
【図３】本発明に係る木造建物を説明するための仮想平面グリッドを示す図である。
【図４】本発明に係る木造建物において、土台に柱を結合した状態の一例を示すもので、（ａ）は結合部の斜視図、（ｂ）は結合部の断面図である。
【図５】本発明に係る木造建物において、土台に柱を結合した状態の他の例を示すもので、（ａ）は結合部の斜視図、（ｂ）は結合部の断面図、（ｃ）はホールダウン金物と埋設金具を示す斜視図である。
【図６】本発明に係る木造建物において、柱に梁を結合した状態の一例を示すもので、（ａ）は結合部の斜視図、（ｂ）は結合部の断面図、（ｃ）は梁受け金物の斜視図、（ｄ）は梁の端部の斜視図である。
【図７】本発明に係る木造建物において、柱に梁を結合した状態の他の例を示すもので、（ａ）は結合部の斜視図、（ｂ）は結合部の断面図である。
【図８】本発明に係る木造建物において、管柱に梁を結合した状態の他の例を示すもので、（ａ）は結合部の斜視図、（ｂ）は結合部の断面図である。
【図９】本発明に係る木造建物を構成する基本架構の他の例を示す斜視図である。
【図１０】本発明に係る木造建物において、基礎の上端に設ける換気台輪を示す斜視図である。
【図１１】本発明に係る木造建物において、柱と耐力壁の配置関係を示す正面図である。
【発明を実施するための形態】
【００２２】
以下、図面を参照して本発明に係る木造建物の実施の形態について説明する。
図１は、本発明に係る木造建物を構成する基本架構１（１Ａ〜１Ｃ）を示す斜視図である。
図１に示す基本架構１は、４本の柱２ａと、これら柱２ａどうしを柱勝ちとなるようにして繋ぐ４本の梁（大梁）３とによって構成されている。
梁３は基本モジュールの整数倍の長さに設定されており、図１（ａ）に示す基本架構１Ａでは、梁３ａ,３ａが基本モジュールの４倍の長さに設定されている。また、図１（ｂ）に示す基本架構１Ｂでは、短辺側の梁３ａが基本モジュールの４倍の長さに設定され、長辺側の梁３ｂが基本モジュールの５倍の長さに設定されている。さらに、図１（ｃ）に示す基本架構１Ｃでは、短辺側の梁３ａが基本モジュールの４倍の長さに設定され、長辺側の梁３ｃが基本モジュールの６倍の長さに設定されている。
ここで、モジュールとは、建築のあらゆる部分を一定の大きさの倍数関係に整える際の基準となる寸法をいい、特に限定されるものではないが、例えば９００ｍｍ，９１０ｍｍ，１０００ｍｍ等の寸法がある。例えば、基本モジュールを９１０ｍｍとすると、ハーフモジュールは４４５ｍｍ、クォーターモジュールは２２７．５ｍｍとなる。
また、基本モジュールを１Ｐとすると、基本架構１Ａの梁３ａの長さは４Ｐ、基本架構１Ｂの梁３ａの長さは４Ｐ、梁３ｂの長さは５Ｐ、基本架構１Ｃの梁３ａの長さは４Ｐ、梁３ｃの長さは６Ｐとなる。
【００２３】
また、基本架構１Ａ〜１Ｂのそれぞれには、それぞれ複数本の小梁４が設けられている。基本架構１Ａでは、小梁４は対向する一方の梁３ａ,３ａ間に架設され、基本架構１Ｂ,１Ｃでは、小梁４は対向する長辺側の梁３ｂ,３ｂ間および梁３ｃ,３ｃ間に架設されている。
【００２４】
このような基本架構１を有する木造建物は、以下のようにして構築される。
すなわちまず、図２Ａに示すように、地盤に基礎５を施工した後、図２Ｂに示すように、基礎５上に土台６を設置固定するとともに、土台６,６間に大引７を架設する。大引７は鋼製の束８によって支持されている。なお、基礎５には複数本のアンカーボルトが埋設され、その上端部が基礎５の上端から突出しているが、図２Ａにおいてアンカーボルトは省略してある。
なお、図２Ｂでは、図示を省略しているが、基礎５と土台６との間に床下の換気を行える換気台輪が設けられている。例えば図１０に示すように、基礎５の上面には換気台輪５５が設置されている。換気台輪５５には上下に貫通する長孔５５ａが換気台輪５５の長手方向に所定間隔で形成されており、この長孔５５ａに前記アンカーボルト３５の上端部が下方から挿通されて、当該上端部が換気台輪５５の上面から突出している。なお、換気台輪５５には、床下換気用の多数の換気孔５５ｂが形成されている。
次に、図２Ｃに示すように、大引７,７間、土台６と大引７との間に根太９を架設した後、図２Ｄに示すように、土台６、大引７、根太９によって構成された床組に床断熱材１０を敷き込み、図２Ｅに示すように、この床断熱材１０上から合板等で形成された床材１１を敷き込む。なお、床材１１の接合部のうち、１階の柱を立設する部分には孔１２が形成されている。この孔１２は大引７まで貫通している。
【００２５】
次に、図２Ｆに示すように、土台６および大引７に１階の柱２（２ａ,２ｂ,２ｃ）を立設して結合する。この場合、建物の４つの出隅部に立設する４本の柱２ｂは、土台６から２階の屋根の軒まで達する通し柱２ｂとする。
また、柱２ａは前記基本架構１Ａの４隅の柱のうちの３本の柱２ａを構成し、柱２ｂは前記基本架構１Ａの４隅の柱のうち、建物の出隅部に位置する通し柱２ｂを構成するものである。
さらに、柱２ｃは梁３と、土台６または大引７との間に設けられた管柱２ｃを構成するものである。
【００２６】
次に、図２Ｇに示すように、１階の所定の位置に制振パネル１３,１３を設置する。この制振パネル１３,１３は建物の平面視において、当該建物の中央部に互いに表面どうしが直角の位置となるように配置される。また、一方の制振パネル１３は、ある基本架構１（１Ａ）において、柱２ａと管柱２ｃとの間に設けられてこれら柱２ａ,２ｃに取り付けられる。
次に、図２Ｈに示すように、１階の隣り合う柱間に梁３ａと梁３ａ１を架設する。
梁３ａは前記基本架構１Ａの梁３ａを構成するものであり、梁３ａ１は間隔を隔てて配置される基本架構１Ａ,１Ａどうしを連結する梁を構成するものである。
さらに、対向する梁３ａ,３ａ間に小梁４を架設する。この小梁４は前記基本架構１Ａの一方の梁３ａ,３ａ間に架設される小梁４を構成するものである。
前記梁３ａは大梁を構成し、前記梁３ａ１のうち、大梁３ａと同軸に配置された梁３ａ１は大梁を構成し、小梁４と同軸に配置された梁３ａ１は小梁を構成するものである。
【００２７】
次に、図２Ｉに示すように、大梁３ａと小梁４との間、小梁４,４間、小梁３ａ１,３ａ１間、大梁３ｃと小梁３ａ１間等に、根太１４を架設した後、図２Ｊに示すように、大梁３ａ、小梁４、大梁３ｃ、小梁３ｃ、根太１４等によって構成された床組に合板等で形成された床材１１を敷き込む。なお、床材１１の接合部のうち、２階の柱を立設する部分には孔１２が形成されている。
【００２８】
次に、図２Ｋに示すように、大梁３ａ、１階の柱２ａに２階の柱２（２ａ,２ｃ）を結合する。この場合、柱２ａは２階の基本架構１Ａの４隅の柱のうちの３本の柱２ａを構成し、柱２ｂの上半分は２階の基本架構１Ａの４隅の柱のうち、建物の出隅部に位置する通し柱２ｂを構成するものである。
さらに、柱２ｃは梁３ａ,３ａ間に設けられた管柱２ｃを構成するものである。
次に、図２Ｌに示すように、２階の隣り合う柱間に梁３ａと梁３ａ１を架設する。
梁３ａは２階の基本架構１Ａの梁３ａを構成するものであり、梁３ａ１は間隔を隔てて配置される基本架構１Ａ,１Ａどうしを連結する梁を構成するものである。
さらに、対向する梁３ａ,３ａ間に小梁４を架設するとともに、小梁４と大梁３ａとの間に小梁４ｂを架設する。
前記梁３ａは大梁を構成し、前記梁３ａ１のうち、大梁３ａと同軸に配置された梁３ａ１は大梁を構成し、小梁４と同軸に配置された梁３ａ１は小梁を構成するものである。
【００２９】
なお、１階、２階において、例えば図１１に示すように、柱２ａ、柱２ｃは耐力壁２３と開口部２４の両端部に配置される。
【００３０】
次に、図２Ｍに示すように、火内金物１５を直角に配置された梁３ａ,３ａ間、梁３ａ,３ｃ間等に取り付けた後、図２Ｎに示すように、小屋束１６を取り付ける。
次に、図２Ｏに示すように、母屋１７と棟木１８を取り付けた後、図２Ｐに示すように、母屋１７および棟木１８に垂木１９を取り付ける。
次に、図２Ｑに示すように、母屋１７、棟木１８、垂木１９によって構成された小屋組に合板等で形成された野地板２０を取り付け、次に、図２Ｒに示すように、１階と２階において間柱２１を取り付け、最後に図２Ｓおよび図２Ｔに示すように、外壁材２２を取り付けて、木造建物の施工を終了する。なお、図２Ｔは、図２Ｓに示す木造建物の一部を切り欠いた斜視図である。
【００３１】
上記のようにして施工された木造建物では、１階に４つの基本架構１Ａ、２階に４つの基本架構１Ａを有しているが、これら基本架構１Ａは、土台６上に、基本モジュールに従った仮想平面グリッドＧに応じて割り付けられて設置されている。
すなわち、図３に示すように、仮想平面グリッドＧは縦方向が８Ｐ、横方向が１０Ｐのものであり、この仮想平面グリッドＧに４つの基本架構１Ａが縦方向（図３において上下方向）に隣接し、かつ横方向（図３において左右方向）に所定間隔（２Ｐ）離間して配置されている。
基本架構１Ａの柱のうち建物の出隅部に位置する柱２ｂが土台から屋根の軒まで通った通し柱２ｂとされ、その他の３本の柱２ａは梁３ａの上端までの高さとなっている。また、縦方向に隣接する基本架構１Ａ,１Ａでは２本の柱２ａ,２ａと、これら柱２ａ,２ａの上端部間に架設された梁３ａとがそれぞれ共通化されている。さらに、横方向に隣り合う基本架構１Ａ,１Ａの対向する柱２ａ,２ａには、梁３ａ１が架設されている。
また、２階には４つの基本架構１Ａがそれぞれ１階の４つの基本架構１Ａの直上に配置されており、２階の基本架構１Ａの柱２ａは、１階の基本架構１Ａの柱２ａと同軸に配置されている。また、２階の基本架構１Ａの４本の柱のうち、建物の出隅部に位置する柱２ｂは１階の基本架構１Ａから上方に延びる前記通し柱２ｂによって構成されている。
さらに、建物の基礎５や土台６も仮想平面グリッドＧに割り付けられている。仮想平面グリッドＧは、建物を設計する際に使用される平面グリッドに対応しており、建物設計の際は、この平面グリッドに従って、基本架構１、土台６、柱２ａ,２ｂ,２ｃ、梁３ａが設計上割り付けられる。そして、建築現場では基本架構１Ａ、土台６、柱２ａ,２ｂ,２ｃ、梁３ａ等が、平面グリッドに対応した仮想平面グリッドＧに応じて割り付けられて設置される。
【００３２】
次に、土台６に柱２ａを結合する結合構造について説明する。
土台６,６がＴ字形に交差する部位においては、図４に示すように、ホールダウン金物２５を使用して、土台６に柱２ａまたは管柱２ｃが結合されている。ホールダウン金物２５は円筒状に形成されており、その上端部にはホールダウン金物２５の軸と直交する方向に貫通する孔２５ａ,２５ａが上下に離間し、かつ平面視において直交して形成されている。また、ホールダウン金物２５の下端部には、その軸と直交する方向に貫通する２つの孔２５ｂ,２５ｂが上下に離間して形成されている。なお、上方の孔２５ａと孔２５ｂは平面視において直交している。
柱２ａの下端面には柱孔２ｄが柱２ａ（２ｃ）の軸方向に延びて形成されており、この柱孔２ｄにホールダウン金物２５の上部が挿入固定されている。
そして、柱２（２ｃ）ａの上端部側面に形成された孔からドリフトピン２６,２６を前記孔２５ａ,２５ａに挿通することによって、ホールダウン金物２５が柱２ａ（２ｃ）に固定されている。
【００３３】
また、土台６には土台孔６ａが上面から下面近傍まで形成されており、この土台孔６ａに前記ホールダウン金物２５の下端部が挿入されている。
そして、土台６の側面に形成された下側の孔からドリフトピン２６を下側の孔２５ｂに挿通するとともに、上側の孔からボルト２７を上側の孔２５ｂに挿通することによって、ホールダウン金物２５が土台６に固定されている。このように、ホールダウン金物２５によって、土台６に柱２ａ（２ｃ）が結合されている。
なお、ボルト２７の先端部は土台６の側面から突出しており、このボルト２７によって接合金物２８が土台６の側面に固定されている。一方、この土台６と直交する土台６の端面に形成された係合部に接合金物２８が係合され、ドリフトピン２９によって固定されている。また、土台６は基礎５にアンカーボルト３０によって結合されている。
【００３４】
土台６,６がＬ字形に交差する部位においては、図５に示すように、ホールダウン金物３２を使用して、土台６に柱２ａが結合されている。
ホールダウン金物３２は円筒状に形成されており、その下端部には大径部が形成されている。また、ホールダウン金物３２の上端部にはその軸と直交する方向に貫通する孔３２ａ,３２ａが上下に離間し、かつ平面視において直交して形成されている。また、ホールダウン金物３２の下端部の大径部には、その軸と直交する方向に貫通する孔３２ｂが形成されている。なお、上方の孔３２ａと孔３２ｂは平面視において直交している。
柱２ａの下端面には柱孔２ｄが柱２ａの軸方向に延びて形成されており、この柱孔２ｄにホールダウン金物３２の上部が挿入固定されている。
そして、柱２ａの上端部側面に形成された孔からドリフトピン２６,２６を前記孔３２ａ,３２ａに挿通することによって、ホールダウン金物３２が柱２ａに固定されている。
【００３５】
また、土台６には挿入孔６ｂが上面から下面まで貫通して形成されており、この挿入孔６ｂに埋設金具３３が挿入されている。埋設金具３３は円筒状に形成されており、その上端部にはその軸方向と直交する方向に貫通する孔３３ａが形成されている。
埋設金具３３には、前記ホールダウン金物３２の下端部の大径部が、当該大径部の孔３２ｂと前記孔３３ａとを同軸にして挿入されている。
そして、土台６の側面に形成された孔からボルト３４を孔３２ｂ,３２ａに挿通することによって、ホールダウン金物３２が土台６に埋設金具３３を介して固定されている。このように、ホールダウン金物３２によって、土台６に柱２ａが結合されている。
なお、ボルト３４の先端部は土台６の側面から突出しており、このボルト３２によって接合金物２８が土台６の側面に固定されている。一方、この土台６と直交する土台６の端面に形成された係合部に接合金物２８が係合され、ドリフトピン２９によって固定されている。
また、基礎５の上端から突出するアンカーボルト３５の上端部は前記埋設金具３３に下方から挿入され、このアンカーボルト３５にナットを螺合して締め付けることによって、アンカーボルト３５に埋設金具３３が結合されている。
【００３６】
また、土台６に前記通し柱２ｂを結合する場合、前記ホールダウン金物３２と埋設金具３３を使用して、図５に示すような結合構造と同様の結合構造によって結合する。
さらに、土台６に前記管柱２ｃを結合する場合、前記ホールダウン金物２５を使用して、図４に示すような結合構造と同様の結合構造によって結合するか、あるいは、前記ホールダウン金物３２と埋設金具３３を使用して、図５に示すような結合構造と同様の結合構造によって結合する。
【００３７】
次に、柱２ａに梁３ａを結合する結合構造について説明する。
図６に示すように、柱２ａには梁３ａが梁受け金物３８によって結合されている。
梁受け金物３８は、平断面略コ字形に形成されており、その両片部に複数の孔３８ａが上下に離間して形成されるとともに、両片部の上下端にそれぞれ溝３８ｂ,３８ｂが形成されている。また、梁受け金物３８の両片部の間の中片部には複数の孔３８ｃが上下に離間して形成されている。
そして、梁受け金物３８はその中片部を柱２ａの上端部の側面に当接し、ボルト３９を孔３８ｃに挿通したうえで、柱２ａに形成された孔に挿通し、ナットを螺合して締め付けることによって柱２ａの上端部の側面に固定されている。本実施の形態では、梁受け金物３８が柱２ａの３つの側面にそれぞれ取り付けられているが、互いに対向する側面に梁受け金物３８,３８を取り付ける場合、ボルト３９を一方の梁受け金物３８の孔３８ｃに挿通したうえで、柱２ａに形成された孔に挿通し、さらにこのボルト３９の先端部を他方の梁受け金物３８の孔３８ｃに挿通したうえで、ナットを螺合して締め付けることによって柱２ａの対向する側面に梁受け金物３８,３８がそれぞれ固定されている。なお、梁受け金物３８は工場等で予め柱２ａに取り付けておく。また、柱２ａの上端面に形成された孔には、柱頭・柱脚結合用のホゾパイプ３７が、柱２ａの上端面から突出した状態で挿入され、このホゾパイプ３７の下端部に形成された孔に一番上のボルト３９が挿通され、これによって、ホゾパイプ３７が柱２ａに固定されている。
【００３８】
また、梁３ａの端部には前記梁受け金物３８の係合部、すなわち、梁受け金物３８の対向する両片部に係合する係合部４０が形成されている。この係合部４０は、梁３ａの端面に梁３ａの厚さ方向に離間して形成されたスリット４０ａ,４０ａと、これらスリット４０ａ,４０ａ間に形成された中実部４０ｂとを有しており、この中実部４０ｂは梁３ａの端面より窪んで形成されている。また、梁３ａの端部側面には孔３ｄが上下に離間して形成され、中実部４０ｂには孔が孔３ｄと同軸に形成されている。
【００３９】
そして、梁３ａはその係合部４０を柱２ａの側面に固定された梁受け金物３８に係合することによって柱２ａに取り付けられている。すなわち、梁３ａのスリット４０ａ,４０ａに梁受け金物３８の両片部をそれぞれ挿入するとともに、梁３ａの中実部４０ｂを梁受け金物３８の両片部の間に挿入したうえで、ドリフトピン４１を梁３の孔３ｄ、梁受け金物３８の孔３８ａと溝３８ｂ、中実部４０ｂの孔を通すことによって、柱２ａに梁３ａが結合されている。
なお、一番上のドリフトピン４１は、梁３ａの落下防止のため工場等で予め梁３ａの孔３ｄに挿入されている。そして、梁３ａを柱２ａに上記のようにして結合する場合、梁３ａを上方から梁受け金物３８に係合し、一番上のドリフトピン４１を梁受け金物３８の上端の溝３８ｂに係合することによって、梁３ａの施工時の落下を防止する。
【００４０】
また、通し柱２ｂに梁３ａを結合する場合、図７に示すように、前記梁受け金物３８を通し柱２ｂの高さ方向中央部に側面に取り付けて、図６に示す梁３ａと同様にして結合する。なお、図７において、図６に示す構成部分と同様の構成部分には同一符号を付してその説明を省略する。
また、管柱２ｃに梁３ａを結合する場合、図８に示すように、管柱２ｃの上端面に形成された孔に、柱頭・柱脚結合用のホゾパイプ３７を挿入して、当該ホゾパイプ３７をドリフトピン４２によって管柱２ｃに固定し、このホゾパイプ３７の上端部を梁３ａの下面に形成された孔に挿入し、このホゾパイプ３７をボルト４３によって固定する。なお、ドリフトピン４２およびボルト４３はそれぞれホゾパイプ３７に形成された孔を貫通している。また、ボルト４３は管柱２ｃに梁４４を結合する際に使用される梁受け金物４５を固定する場合にも使用される。この梁受け金物４５は前記梁受け金物３８と同様の構成であり、梁４４の端部の構成は、前記梁３ａの端部の構成と同様であるので、その説明を省略する。
また、梁３ａの上面に形成された孔には、柱頭・柱脚結合用のホゾパイプ３７が、梁３ａの上面から突出した状態で挿入され、このホゾパイプ３７の下端部に形成された孔に一番上のボルト４３が挿通され、これによって、ホゾパイプ３７が梁３ａに固定されている。
【００４１】
本実施の形態によれば、梁３ａの長さが基本モジュールの整数倍の長さに設定された複数の基本架構１Ａが基本モジュールに従った仮想平面グリッドＧに応じて割り付けられて設置されることによって、建物骨組が構成されている。したがって、梁３ａは基本モジュールの整数倍であるものを数種類用意すればよく、従来と異なり、多種類用意する必要がなく、しかも、基本架構１Ａが仮想平面グリッドＧに応じて割り付けられているので、当該基本架構１Ａを所定の位置に容易かつ確実に配置できる。よって、現場で建物骨組を容易に構築できる。
また、基本架構１Ａの柱のうち、建物の出隅部に位置する柱２ｂが土台６から屋根の軒まで通った通し柱２ｂで構成されているので、上階と下階を構造的に一体化して、建物の耐震性や耐久性を高めることができる。
【００４２】
さらに、柱２ａの下端面に形成された柱孔に、当該柱２ａの軸方向に長尺なホールダウン金物２５,３２が挿入固定され、このホールダウン金物２５,３２の下端部が土台６に形成された土台孔に挿入固定されることによって、土台６に柱２ａが結合されているので、土台６に柱２ａをほぞ等を利用することなく、ホールダウン金物２５,３２によって容易かつ確実に結合できる。
また、柱２ａの梁３ａ側を向く側面に梁受け金物３８が固定され、この梁受け金物３８に梁３ａの端部が固定されることによって、柱２ａに梁３ａが結合されているので、柱２ａに梁３ａをほぞ等を利用することなく、梁受け金物３８によって容易かつ確実に結合できる。
このように、ホールダウン金物２５,３２および梁受け金物３８によって、現場で建物骨組を容易に構築できる。
また、管柱２ｃの下端面に形成された柱孔に、当該管柱２ｃの軸方向に長尺なホールダウン金物３８が挿入固定され、このホールダウン金物３８の下端部が前記土６台に形成された土台孔に挿入固定されることによって、土台６に管柱２ｃが結合されているので、土台６に管柱２ｃをほぞ等を利用することなく、ホールダウン金物３８によって容易かつ確実に結合できる。
さらに、基礎５と土台６との間に換気台輪５５が設けられているので、基礎５に換気口を形成するのを省略でき、また、アンカー３５が換気台輪５５を貫通しているので、アンカー３５に埋設金物３３を介して土台６および柱２ａを結合できる。
【００４３】
なお、本実施の形態では、基本架構１の直上に同じ基本架構１を、４本の柱２ａどうしが同軸となるようにして設置したが、これに限ることなく、基本架構１上に、図９に示すように、異なる基本架構１Ｄや基本架構１Ｅを設置してもよい。
図９（ａ）に示すように、下階の基本架構１Ｃ上に、上階の基本架構１Ｄが設置されている。基本架構１Ｄは、長辺側の梁３ａが基本モジュールの４倍の長さ（４Ｐ）に設定されており、短辺側の梁３ｅが基本モジュールの３倍の長さ（３Ｐ）に設定されている。
上階の基本架構１Ｄの４本の柱のうち２本の柱は下階の基本架構１Ｃの２本の柱に当該柱と同軸に結合されており、基本架構１Ｄの残りの２本の柱は下階の基本架構１Ｃの梁３ｃに結合されている。また、下階の基本架構１Ｃの対向する梁３ｃ,３ｃ間には小梁３ｆが架設されており、この小梁３ｆの端部は基本架構１Ｄの柱の直下に位置している。
このような構造の場合、上階の基本架構１Ｄが下階の基本架構１Ｃより小さくても、上階の基本架構１Ｄを下階の基本架構１Ｃによって確実に支持することができる。
【００４４】
また、図９（ｂ）に示すように、下階の基本架構１Ｃ上に、上階の基本架構１Ｅが設置されている。基本架構１Ｅは、４本の梁３ｅの長さが基本モジュールの３倍の長さ（３Ｐ）に設定されている。
上階の基本架構１Ｅの４本の柱のうち、下階の基本架構１Ｃの柱または梁上に位置しない不位置柱２ａは、下階の基本架構１Ｃの梁３ｃ,３ｃ間に架設され、梁成を梁３ａの梁成とほぼ等しくなるように大きくした小梁３ｆに結合されている。また、この小梁３ｆと下階の基本架構１Ｃの梁３ａとの間には小梁３ｇが架設されている。
このような構造の場合、上階の基本架構１Ｅが下階の基本架構１Ｃより小さくても、上階の基本架構１Ｅを下階の基本架構１Ｃおよび梁成を大きくした小梁３ｆによって確実に支持することができる。
【００４５】
また、図９（ｃ）に示すように、下階の基本架構１Ｃ上に、上階の基本架構１Ｅが設置されている。基本架構１Ｅは、４本の梁３ｅの長さが基本モジュールの３倍の長さ（３Ｐ）に設定されている。
上階の基本架構１Ｅの柱のうち、下階の基本架構１Ｃの柱または梁上に位置しない不位置柱２ａは下階の基本架構１Ｃの梁３ｃ,３ｃ間に架設された小梁３ｆ１に結合されており、この小梁３ｆ１に、不位置柱２ａと同軸に管柱２ｃが結合されている。また、この小梁３ｆ１と下階の基本架構１Ｃの梁３ａとの間には小梁３ｇが架設されている。
このような構造の場合、上階の基本架構１Ｅが下階の基本架構１Ｃより小さくても、上階の基本架構１Ｅを下階の基本架構１Ｃ、小梁３ｆ１、管柱２ｃによって確実に支持することができる。
【００４６】
また、本実施の形態では、屋根には小屋裏換気が設けられており、換気口の位置により、換気口の面積を天井面積の１／ｎ（ｎは自然数）以上に設定している。
（１）両妻壁にそれぞれ換気口を設ける場合は、換気口をできるだけ上部に設けることとし、換気口の面積は、天井面積の１／３００以上に設定する。
（２）軒裏に換気口を設ける場合は、換気口の面積を天井面積の１／２５０以上に設定する。
（３）軒裏に給気口を、妻壁に排気口を、垂直距離で９００ｍｍ以上離して設ける場合は、それぞれの換気口（給気口と排気口）の面積を天井面積の１／９００以上に設定する。
（４）排気筒その他の器具を用いた換気口は、できるだけ小屋裏頂部に設けることとし排気口の面積を天井面積の１／６００以上に設定する。また、軒裏に設ける給気口の面積は天井面積の１／９００以上に設定する。
（５）軒裏に給気口を設け、かつ、棟部に排気口を設ける場合は、給気口の面積を天井面積の１／９００以上に設定し、排気口を天井面積の１／１６００以上に設定する。
【００４７】
さらに、本実施の形態では、屋根形状は寄棟または切妻とされ、屋根には軒とけらばが設けられている。軒とけらばの出は、ハーフモジュール（例えば４５５ｍｍ）が基本長さとされ、軒の出の最大寸法は１モジュール（基本モジュール）とされている。
【符号の説明】
【００４８】
１（１Ａ,１Ｂ,１Ｃ,１Ｄ,１Ｅ）  基本架構
２（２ａ,２ｂ）  柱
２ｂ  通し柱
２ｃ  管柱
２ｄ  柱孔
４  小梁
５  基礎
６  土台
６ａ  土台孔
２５,３２  ホールダウン金物
３３  埋設金具
３５  アンカーボルト
３８  梁受け金物
【図１】
0005902530.tif 000002
【図２Ａ】
0005902530.tif 000003
【図２Ｂ】
0005902530.tif 000004
【図２Ｃ】
0005902530.tif 000005
【図２Ｄ】
0005902530.tif 000006
【図２Ｅ】
0005902530.tif 000007
【図２Ｆ】
0005902530.tif 000008
【図２Ｇ】
0005902530.tif 000009
【図２Ｈ】
0005902530.tif 000010
【図２Ｉ】
0005902530.tif 000011
【図２Ｊ】
0005902530.tif 000012
【図２Ｋ】
0005902530.tif 000013
【図２Ｌ】
0005902530.tif 000014
【図２Ｍ】
0005902530.tif 000015
【図２Ｎ】
0005902530.tif 000016
【図２Ｏ】
0005902530.tif 000017
【図２Ｐ】
0005902530.tif 000018
【図２Ｑ】
0005902530.tif 000019
【図２Ｒ】
0005902530.tif 000020
【図２Ｓ】
0005902530.tif 000021
【図２Ｔ】
0005902530.tif 000022
【図３】
0005902530.tif 000023
【図４】
0005902530.tif 000024
【図５】
0005902530.tif 000025
【図６】
0005902530.tif 000026
【図７】
0005902530.tif 000027
【図８】
0005902530.tif 000028
【図９】
0005902530.tif 000029
【図１０】
0005902530.tif 000030
【図１１】
0005902530.tif 000031